(57)【要約】【課題】物品を摘んで移動させる作業とその物品に関する物品情報を情報読取装置で読み取る作業とを片手で迅速に行うことを可能にする物品挟持具を提供すること。【解決手段】トング１０は、互いの先端部１１３により食品４０を挟むための一対の挟持部材１０１，１０２を備えている。一方の挟持部材１０１にはバーコードリーダ２０が固定されており、このバーコードリーダ２０によって食品４０に関する情報である食品情報が読み取られる。【選択図】図１
2012247875.tif 000002
【特許請求の範囲】
【請求項１】
互いの先端部により物品を挟持する一対の挟持部材と、
前記一対の挟持部材のいずれか一方の挟持部材に固定され、前記物品に関する情報である物品情報を読み取る情報読取装置とを備える、物品挟持具。
【請求項２】
前記情報読取装置は、前記物品情報を示すバーコードに光を照射してその反射光を読み取ることによって当該物品情報を取得するバーコードリーダであり、
前記バーコードリーダは、前記光の照射方向が前記一方の挟持部材の基端部から先端部へ向かう方向と略一致するように当該一方の挟持部材に固定される、請求項１に記載の物品挟持具。
【請求項３】
前記情報読取装置は、前記一方の挟持部材において他方の挟持部材と対向する面の反対側の面に固定される、請求項１又は２に記載の物品挟持具。
【請求項４】
前記一方の挟持部材は、前記情報読取装置を着脱可能に固定する固定具を備える、請求項１から３のいずれかに記載の物品挟持具。
【発明の詳細な説明】
【技術分野】
【０００１】
本発明は、食品や薬品等の直接手で触れることが好ましくない物品を摘む作業に使用される物品挟持具に関する。
【背景技術】
【０００２】
スーパーやコンビニエンスストアでは、商品を販売する毎にその販売情報を記録し、記録した販売情報を在庫管理やマーケティング材料として活用するためのシステムとして、いわゆるＰＯＳシステム（Ｐｏｉｎｔ  Ｏｆ  Ｓａｌｅｓ  ｓｙｓｔｅｍ）が導入されている。このＰＯＳシステムでは、一般的に、商品の包装に表記されているバーコードを光学的に読み取るバーコードリーダが使用されている（例えば特許文献１参照）。
【０００３】
特許文献１に記載のバーコードリーダには、複数個の同一商品の販売情報をＰＯＳシステムに登録する際にＰＯＳシステム側での操作を無くすために、同一商品の販売個数を示す情報をＰＯＳシステムに送信するためのリピートキーが設けられている。
【先行技術文献】
【特許文献】
【０００４】
【特許文献１】特開平５−１６５９９３号公報
【発明の概要】
【発明が解決しようとする課題】
【０００５】
ところで、ベーカリーショップ、スイーツショップ、ドーナツショップ等（以下「ショップ」という。）では、食品がショーケースに陳列され、それを摘むのにトングが使用されている。しかし、前記食品は、包装されていない状態で販売されており、食品であるがゆえ、バーコードを直接付けることが困難である。そこで、出願人は、ショーケースにおいて食品が陳列されている位置と近接する位置にその食品に関する情報（商品名、商品価格など）を示すバーコードを表示したプレートを設け、そのプレートのバーコードを店員がバーコードリーダで読み取るという方法を考え出した。
【０００６】
この方法によれば、ショップにＰＯＳシステムを導入することが可能となるが、店員が一方の手でトレーを持ち、他方の手に持ったトングを使って来店した客が選んだ食品を摘んでトレーに移し、その後、トングをバーコードリーダに持ち替えてバーコードを読み取る必要がある。すなわち、選ばれた食品を摘んでトレーに移す作業とバーコードを読み取る作業とを片手で行う必要がある。このため、たとえ特許文献１に記載のバーコードリーダを用いたとしても、異なる食品が選ばれる毎にトングとバーコードリーダとを持ち替えて一連の作業を行う必要があることには変わりがないため、店員が一連の作業を片手で迅速に行うのは困難であった。
【０００７】
なお、このような問題は、薬品等の物品を例えばピンセットで摘む場合や、物品に関する物品情報を示す二次元コードをスキャナで読み取る場合、物品情報が記録されたＲＦタグからＲＦＩＤ（Ｒａｄｉｏ  Ｆｒｅｑｕｅｎｃｙ  ＩＤｅｎｔｉｆｉｃａｔｉｏｎ）技術を用いた近距離無線通信により物品情報を読み取るような場合にも同様に生じ得る。
【０００８】
本発明は、かかる問題に鑑みてなされたものであり、物品を摘んで移動させる作業とその物品に関する物品情報を情報読取装置で読み取る作業とを片手で迅速に行うことを可能にする物品挟持具を提供することにある。
【課題を解決するための手段】
【０００９】
本発明の物品挟持具は、互いの先端部により物品を挟持する一対の挟持部材と、一対の挟持部材のいずれか一方の挟持部材に固定され、物品に関する情報である物品情報を読み取る情報読取装置とを備える。
【００１０】
この構成によれば、一方の挟持部材に情報読取装置が固定されているので、物品挟持具で物品を摘んで例えばトレーに移す作業と情報読取装置でその物品の物品情報を読み取る作業とを行う場合に、物品挟持具を情報読取装置に持ち替える必要がない。したがって、物品を摘んで移動させる作業と物品情報を情報読取装置で読み取る作業とを片手で迅速に行うことが可能になる。
【００１１】
ここで、物品としては、手で直接触れるべきではない例えば食品や薬品が例として挙げられる。また、物品情報としては、例えば物品名、物品価格、物品の在庫数量、物品の製造年月日が例として挙げられる。また、情報読取装置は、物品情報がバーコードとして記録されている場合にはバーコードリーダであり、物品情報が二次元コードとして記録されている場合には二次元コードを読み取り可能なスキャナであり、物品情報がＲＦタグに記録されている場合にはＲＦＩＤ技術を用いた近距離無線通信により物品情報を取得するリーダである。
【００１２】
情報読取装置は、物品情報を示すバーコードに光を照射してその反射光を読み取ることによってその物品情報を取得するバーコードリーダであり、バーコードリーダは、光の照射方向が一方の挟持部材の基端部から先端部へ向かう方向と略一致するようにその一方の挟持部材に固定される。
【００１３】
この構成によれば、物品情報が物品に直接付けられていないものの物品と近接する位置に記録されている場合に、物品を摘む作業と物品情報を読み取る作業とを行う際に物品挟持具の向きを変える必要がない。このため、物品挟持具の持ち方を変えたりすることなく、物品を摘んで移動させる作業と物品情報をバーコードリーダで読み取る作業とを容易且つスムーズに行うことが可能になる。
【００１４】
情報読取装置は、一方の挟持部材において他方の挟持部材と対向する面の反対側の面に固定されるのが好ましい。
【００１５】
この構成によれば、情報読取装置が一方の挟持部材の外側の面に固定されるので、情報読取装置が一対の挟持部材が物品を挟持する動作の妨げになるのを防止することが可能になる。すなわち、情報読取装置が挟持部材の内側の面に固定されている場合、情報読取装置が一対の挟持部材に挟まって、一対の挟持部材の互いの先端部が近接する動作が妨げられるが、上記構成によれば、このような問題が生じるのを防止することが可能である。
【００１６】
一方の挟持部材は、情報読取装置を着脱可能に固定する固定具を備えることが好ましい。
【００１７】
この構成によれば、情報読取装置の取り外しが可能であるため、挟持部材の洗浄により情報読取装置が故障するのを防止することが可能になる。また、情報読取装置を一方の挟持部材に固定するための構成を情報読取装置に設ける必要がないため、一般的な情報読取装置の構造を変更することなく、その情報読取装置を用いて本発明を実現することが可能になる。
【発明の効果】
【００１８】
本発明によれば、一方の挟持部材に情報読取装置が固定されているので、物品を摘んで移動させる作業と物品情報を情報読取装置で読み取る作業とを片手で迅速に行うことができる。
【図面の簡単な説明】
【００１９】
【図１】本実施形態に係るトング１０の使用環境を示す説明図
【図２】トング１０の構成を示す平面図
【図３Ａ】店員がトング１０で食品４０を摘む前の状態を示す説明図
【図３Ｂ】店員がトング１０で食品４０を摘んだ状態を示す説明図
【図３Ｃ】店員がトング１０で摘んだ食品４０を移動させる様子を示す説明図
【図３Ｄ】店員がトング１０に固定されたバーコードリーダ２０でバーコード３０を読み取る様子を示す説明図
【発明を実施するための形態】
【００２０】
以下、図面を参照しつつ、本発明の物品摘み具の一実施形態に係るトング１０について説明する。
【００２１】
［トング１０の使用環境の説明］
まず、図１を参照しつつ、トング１０の使用環境について説明する。ここで、図１は、トング１０の使用環境を示す説明図である。本実施形態で例示するショップでは、ショップに来店した来店客に販売される複数種の食品を陳列するショーケース６０（図１参照）が設けられている。図１には、ショーケース６０の同じ段にショートケーキ、食品（パン）４０、ドーナツが並べて陳列された状態が例示されている。なお、図には示されていないが、このショーケース６０は、来店客が商品を直接手で触れられないように、その前面側（来店客側）がガラスで覆われている。
【００２２】
来店客は、ショーケース６０の幅方向に沿って横に移動しながら、ショーケース６０を挟んで来店客と反対側にいる店員に対して注文を行う。これに対して、店員は、一方の手（例えば左手）でトレー７０を持った状態で、来店客と一緒に移動しながら、来店客が選んだ食品をトング１０（物品摘み具の一例）でショーケース６０からトレー７０に移し、注文が完了したら会計作業を行う。
【００２３】
［ＰＯＳシステムの説明］
トング１０が使用されるショップには、いわゆるＰＯＳシステムを構成するバーコードリーダ２０及びＰＯＳレジスタ５０が設けられている。
【００２４】
図１に示されるように、ショーケース６０には、食品毎にバーコード３０が取り付けられている。ショーケース６０に陳列されている食品には包装が施されていないため、バーコード３０は、対応する商品と近接する位置（本実施形態では、陳列されている食品の直ぐ手前の位置）に貼り付けられている。バーコード３０は、縞模様状の線の太さによって数値や文字を表す識別子であり、食品４０に関する食品情報（物品情報に相当）を記録したものである。
【００２５】
バーコードリーダ２０は、バーコード３０に光を照射してその反射光を読み取ることによって食品情報を取得する情報読取装置である。バーコードリーダ２０は、扁平形状の略六面体として構成されている。詳細には、高さ方向（図２の紙面に垂直な方向）に細く、幅方向（図２の上下方向）及び奥行き方向（図２の左右方向）が上記高さ方向よりも長い略直方体形状に形成されている。
【００２６】
このバーコードリーダ２０は、面積が最大である上面にボタン２０１及びディスプレイ２０３が設けられると共に、面積が最小である先端面に出射口２０２が設けられている。
【００２７】
本実施形態におけるバーコードリーダ２０は、レーザスキャン方式のバーコードスキャナである。図には示されていないが、バーコードリーダ２０は、レーザ光を発する光源と、光源からのレーザ光を反射しながら回転する回転ミラーと、バーコードからの反射光を検知する光センサとを内蔵している。店員がバーコードリーダ２０の出射口２０２をバーコード３０に向けた状態でボタン２０１を押下すると、光源から発せられたレーザ光が回転ミラーで反射され、レーザ光が出射口２０２を介して出射されてバーコード３０を構成する各線を横切るようにスキャンされる。これにより、バーコード３０の白黒又は明暗によって反射光が変化するので、光センサがこの反射光の変化を電気信号に変換することで食品情報が取得される。
【００２８】
ディスプレイ２０３は、例えば液晶表示装置であり、現在の読取状況や読み取った食品情報等を表示する。さらに、ディスプレイ２０３には、ＰＯＳレジスタ５０が食品情報入力時間と食品情報に含まれる製造年月日とを照合して設定時間を経過すると判断した場合に送信される食品の賞味期限に関する情報も表示される。
【００２９】
また、バーコードリーダ２０は、バーコード３０から読み取った食品情報をＷｉ−Ｆｉ（登録商標）やＢｌｕｅｔｏｏｔｈ（登録商標）などの通信規格による無線通信によってＰＯＳレジスタ５０と送受信する機能を備えている。すなわち、バーコードリーダ２０は、ワイヤレスのバーコードスキャナである。このため、バーコードリーダ２０は、蓄電池から供給される電源により動作する。これらにより、ショーケース６０の幅方向における一方側の末端と他方側の末端との各々に陳列された食品を注文されたとしても、迅速に移動し応対することができる。また、バーコードリーダ２０は、バーコード３０から読み取った食品情報に加えて、自身の端末番号をＰＯＳレジスタ５０に送信する。これにより、ＰＯＳレジスタ５０では、受信した端末番号に基づいて、食品情報を送信したのはバーコードリーダ２０であることを特定することができる。
【００３０】
なお、バーコードリーダ２０の読み取り方式はレーザスキャン方式に限定されるものではなく、例えばバーコード３０を手動でスキャンするマニュアルスキャン方式等であってもよい。すなわち、バーコード３０を読み取ることができれば、バーコードリーダ２０の構造は特に限定されるものではない。
【００３１】
ＰＯＳレジスタ５０は、食品名や売値などを蓄積するデータベース機能を備えるレジスタ本体、レジスタ本体からの命令に応じて金銭を保管する引き出しを飛び出させるキャッシュドロワ、レシート５１や領収書を印刷するレシートプリンタ、釣銭を自動計算して排出する自動釣銭機、会計金額等を表示するディスプレイ等から構成されている。また、ＰＯＳレジスタ５０は、バーコードリーダ２０と無線通信により食品情報を送受信するためのアンテナ５０１を備えている。
【００３２】
ショップの店員は、来店客が選んだ全ての食品をトレー７０に載せた後、ＰＯＳレジスタ５０に設けられている入力キーを用いてバーコードリーダ２０の端末番号を入力する。これにより、バーコードリーダ２０から受信した食品情報に基づいて合計金額が計算されて、会計が行われる。
【００３３】
ここまで、本実施形態におけるＰＯＳシステムの概要について説明したが、ＰＯＳシステムは本実施形態で例示したものに限定されるものではない。すなわち、ＰＯＳシステムは、ＰＯＳレジスタ５０及びバーコードリーダ２０の他に、複数のＰＯＳレジスタ５０と通信回線を介して通信可能に接続され、各ＰＯＳレジスタ５０からのデータを集計して在庫や販売の管理を行うオフィスサーバ等を更に含んでいてもよい。
【００３４】
［トング１０の説明］
次に、図１及び図２を参照しつつ、トング１０の構成について説明する。ここで、図２は、トング１０の構成を示す平面図であり、図２Ａはバーコードリーダ２０が装着された状態を示し、図２Ｂはトング１０からバーコードリーダ２０が取り外された状態を示す。トング１０は、大別して、一対の挟持部材１０１，１０２と、ホルダ１０４と、上述したバーコードリーダ２０とを備える。
【００３５】
挟持部材１０１及び挟持部材１０２は、それぞれの基端部１０３が回転軸によって互いに回動可能に連結されている。また、図には示されていないが、挟持部材１０１の基端部１０３と挟持部材１０２の基端部１０３との間には、弾性部材としてのコイルバネが設けられており、挟持部材１０１及び挟持部材１０２は、それぞれの先端部１１３が互いに離れる方向に付勢されている。また、挟持部材１０１，１０２の先端部１１３には、摘んだ食品が落下するのを防止するために、凹凸を有するプラスチックが固定されている。店員は、例えば挟持部材１０１が挟持部材１０２の上方に位置するように挟持部材１０１，１０２を例えば右手に持ち、挟持部材１０１，１０２を握る。これにより、挟持部材１０１，１０２の先端部１１３が近接して食品４０に当接することでその食品４０を挟持する。
【００３６】
ホルダ１０４は、バーコードリーダ２０を着脱可能に固定する固定具であり、例えばプラスチックで形成されている。このホルダ１０４の底板と挟持部材１０１には、２本のボルト１０７を挿通する２つの挿通孔（不図示）が形成されており、ホルダ１０４は、挟持部材１０１の外側の面（図２における紙面手前側の面）に当接された状態でボルト１０７と不図示のナットとの螺合により挟持部材１０１に固定されている（図２Ｂ参照）。このため、バーコードリーダ２０は、挟持部材１０１において挟持部材１０２と対向する面の反対側の面に固定されることになる。
【００３７】
ホルダ１０４の底板の両端には、底板の長手方向（図２における左右方向）に延びる側壁１０５，１０６が立設されている。底板の長手方向における側壁１０５，１０６の長さは、バーコードリーダ２０の奥行き方向（図２における左右方向）の長さと略等しく設定されている。また、側壁１０５，１０６の底板からの高さは、バーコードリーダ２０の厚みよりも若干大きく設定されている。また、側壁１０５と側壁１０６との間隔は、バーコードリーダ２０の幅方向の長さよりも若干小さく設定されている。このため、ホルダ１０４の底板と側壁１０５，１０６で構成される空間にバーコードリーダ２０を配置することにより、バーコードリーダ２０が側壁１０５と側壁１０６により挟持されてホルダ１０４に固定される（図２Ａ参照）。また、ホルダ１０４は、その上面と長手方向における両側面が開放されている。このため、バーコードリーダ２０をホルダ１０４の上方に引き上げるか、或いはホルダ１０４の長手方向にスライドさせることにより、バーコードリーダ２０を挟持部材１０１から容易に取り外すことができる。このように、バーコードリーダ２０は、ホルダ１０４によって挟持部材１０１に着脱可能に固定される。
【００３８】
図２Ａに示されるように、バーコードリーダ２０は、その両側面が側壁１０５，１０６によって支持される。このため、バーコードリーダ２０が固定された状態では、その先端面に設けられた出射口２０２が挟持部材１０１の先端部１１３側に位置することになる（図２Ａ参照）。したがって、バーコードリーダ２０がホルダ１０４に固定された状態では、バーコードリーダ２０からのレーザ光の放射方向が、挟持部材１０１の基端部１０３から先端部１１３へ向かう方向（図２における右方向）と略一致することになる。
【００３９】
なお、ここではバーコードリーダ２０がホルダ１０４を介して挟持部材１０１に着脱可能に固定される場合について説明したが、バーコードリーダ２０は、例えば面ファスナーにより挟持部材１０１に固定されてもよい。
【００４０】
［トング１０の使用方法］
以下、図３Ａ〜図３Ｄを参照しつつ、トング１０の使用方法について説明する。ここで、図３Ａは、店員がトング１０で食品４０を摘む前の状態を示す説明図である。図３Ｂは、店員がトング１０で食品４０を摘んだ状態を示す説明図である。図３Ｃは、店員がトング１０で摘んだ食品４０を移動させる様子を示す説明図である。図３Ｄは、店員がトング１０に固定されたバーコードリーダ２０でバーコード３０を読み取る様子を示す説明図である。
【００４１】
来店客がショーケース６０に陳列された食品４０（ここではパン）を選ぶと、店員は、左手にトレー７０（図１参照）を持つと共に右手でトング１０を持ち、食品４０を摘むべくトング１０を食品４０に近付ける（図３Ａ参照）。そして、店員は、トング１０を軽く握って挟持部材１０１，１０２の先端部１１３により食品４０を摘み（図３Ｂ参照）、その食品４０をショーケース６０からトレー７０に移動させる。その際、店員は、挟持部材１０１の先端部１１３が摘んでいる食品４０に対応するバーコード３０の正面に位置するように、トング１０を手前に引いてから下に下げる（図３Ｃ及び図３Ｄ参照）。そして、店員は、トング１０を握っている右手の親指によりバーコードリーダ２０のボタン２０１を押下する。これにより、バーコードリーダ２０がバーコード３０を読み取って食品情報を取得し、その食品情報をＰＯＳレジスタ５０に無線通信により送信する処理が行われる。
【００４２】
［本実施形態の作用効果］
以上説明したように、本実施形態によれば、バーコードリーダ２０が挟持部材１０１に固定されているので、トング１０で食品４０を摘んでトレー７０に移す作業とその食品４０の食品情報を読み取る作業とを行う場合に、トング１０をバーコードリーダに持ち替える必要がない。したがって、食品４０を摘んで移動させる作業と、食品４０の食品情報をバーコードリーダ２０で読み取る作業とを片手で迅速に行うことができる。
【００４３】
また、本実施形態では、バーコードリーダ２０のレーザ光の照射方向が挟持部材１０１の基端部１０３から先端部１１３へ向かう方向と略一致するようにバーコードリーダ２０が挟持部材１０１に固定されている。このため、食品４０を摘む作業と食品情報をバーコードリーダ２０で読み取る作業とを行う際に、トング１０の向きを変える必要がない。したがって、トング１０の持ち方を変えたりすることなく、食品４０を摘んで移動させる作業と、食品４０の食品情報をバーコードリーダ２０で読み取る作業とを容易且つスムーズに行うことができる。
【００４４】
また、本実施形態では、バーコードリーダ２０が挟持部材１０１の外側の面（挟持部材１０２との対向面の反対側の面）に固定される。このため、バーコードリーダ２０が対向面に固定される場合のように、バーコードリーダ２０が挟持部材１０１，１０２に挟まって、挟持部材１０１，１０２の互いの先端部１１３が近接する動作が妨げられるのを防止することができる。
【００４５】
また、本実施形態では、ホルダ１０４によりバーコードリーダ２０が着脱可能に固定される。すなわち、トング１０は包装されていない状態での食品４０を摘むため、衛生上定期的な洗浄が必要であるが、バーコードリーダ２０の取り外しが可能であるため、前記洗浄によるバーコードリーダ２０の故障するのを防止することができる。また、バーコードリーダ２０を挟持部材１０１に固定するための構成をバーコードリーダ２０に設ける必要がない。したがって、一般的なバーコードリーダの構造を変更することなく、そのバーコードリーダを用いて本発明を実現することができる。
【００４６】
［変形例］
本発明は上述した形態に限定されるものではなく、例えば以下の形態であってもよい。
すなわち、上記実施形態では、トング１０がベーカリーショップにおいて使用される場合について説明するが、トング１０は、店員が直接手で触れるべきではない食品を扱う店舗であれば、食肉店や惣菜店等の他のショップで使用されてもよい。
【００４７】
また、上記実施形態では、バーコードリーダ２０によるバーコード３０の読み取りを指示するスイッチがボタン２０１である場合について説明したが、このスイッチは、スライドスイッチであってもよい。これにより、店員の誤操作（バーコード３０を誤って読み取ること）を防止することができる。
【００４８】
また、上記実施形態では、バーコードリーダ２０のレーザ光の照射方向が挟持部材１０１の基端部１０３から先端部１１３へ向かう方向と略一致する場合について説明したが、これらの方向は必ずしも一致している必要はない。
【００４９】
また、上記実施形態では、バーコードリーダ２０が挟持部材１０１の外側の面に固定されている場合について説明したが、前記の外側の面と挟持部材１０１における挟持部材１０２との対向面との間の面にバーコードリーダ２０を固定してもよい。バーコードリーダが非常に小型のものである場合には、前記の対向面にバーコードリーダ２０を固定してもよい。ただし、この場合、トング１０で摘んだ食品４０がバーコード３０の読み取りの妨げになる可能性があるので、バーコード３０を読み取ってから食品４０を摘むように作業の順序を変更することが好ましい。
【００５０】
また、上記実施形態では、バーコードリーダ２０が挟持部材１０１に対して着脱自在に固定される場合について説明したが、バーコードリーダ２０が挟持部材１０１から取り外せない構成であってもよい。ただし、この場合、トング１０の洗浄によりバーコードリーダ２０が故障しないように、防水機能を備えるバーコードリーダ２０を使用するのが好ましい。
【００５１】
また、上記実施形態では、食品情報（物品情報）がバーコード３０として記録されている場合を例に説明したが、物品情報は、他の手段により記録されていてもよい。例えば、物品情報は、ＱＲコード（登録商標）等の二次元コードとして記録されていてもよい。この場合、二次元コードを読み取り可能なスキャナが本発明の情報読取装置として機能する。また、物品情報は、ＲＦタグに記録されていてもよい。この場合、ＲＦＩＤ技術を用いた近距離無線通信によりＲＦタグから物品情報を取得するリーダが本発明の情報読取装置として機能する。
【００５２】
また、上記実施形態では、本発明の物品挟持具がトング１０である場合について説明したが、物品挟持具は、例えば薬品を摘むピンセット等であってもよい。
【産業上の利用可能性】
【００５３】
本発明は、食品や薬品等の直接手で触れることが好ましくない物品を摘む作業に使用される物品挟持具等に適用可能である。
【符号の説明】
【００５４】
１０    トング（物品挟持具の一例）
２０    バーコードリーダ（情報読取装置の一例）
３０    バーコード（物品情報の一例）
４０    食品（物品の一例）
５０    ＰＯＳレジスタ
５１    レシート
６０    ショーケース
７０    トレー
１０１    一方の挟持部材
１０２    他方の挟持部材
１０３    基端部
１０４    ホルダ（固定具の一例）
１０５，１０６    側壁
１０７    ボルト
１１３    先端部
２０１    ボタン
２０２    出射口
２０３    ディスプレイ
５０１    アンテナ
【図１】
2012247875.tif 000003
【図３Ａ】
2012247875.tif 000004
【図３Ｂ】
2012247875.tif 000005
【図３Ｃ】
2012247875.tif 000006
【図３Ｄ】
2012247875.tif 000007
【図２】
2012247875.tif 000008